(57)【要約】【課題】１つのボタンで二つのロック機構に対してリリースを許可するスイッチ機構を提供することである。【解決手段】第１のロック機構に機械的にリンクされると共に、第２のロック機構には電気的にリンクされるスイッチ３１の動作に応じて、当該第２のロック機構をロック解除させるロック解除指示信号Ｓ２を生成するスイッチ機構１７であって、ロック解除動作検出部ＳＷ１はスイッチ３１による機械的なロック解除動作を検出してロック解除動作検出信号Ｓ１を生成し、電気的ロック解除手段３５はロック解除動作検出信号Ｓ１が連続して２回生成される時にはロック解除指示信号Ｓ２を生成する。【選択図】        図１
2005018469.tif 000002
【特許請求の範囲】
【請求項１】
第１のロック機構に機械的または電気的にリンクされると共に、第２のロック機構には電気的にリンクされるスイッチの動作に応じて、当該第２のロック機構をロック解除させるロック解除指示信号を生成するスイッチ機構。
【請求項２】
前記スイッチ機構は、
前記スイッチによる機械的なロック解除動作を検出してロック解除動作検出信号を生成するロック解除動作検出手段と、
前記ロック解除動作検出信号が連続して生成される時には、前記ロック解除指示を生成する電気的ロック解除手段とを備える請求項１に記載のスイッチ機構。
【請求項３】
前記ロック解除動作検出信号の連続する２つの出力間隔時間を検出するロック解除動作間隔検出手段と、
前記連続して２回出力されるロック解除動作検出信号の出力間隔時間が所定の時間以上の場合には、前記電気的ロック解除手段による前記ロック解除指示信号の生成を禁止する前記電気ロック解除抑制手段とを、さらに備える請求項２に記載のスイッチ機構。
【請求項４】
前記第１のロック機構がロック解除されているか否かを検出して、ロック解除検出信号を生成するロック機構解除検出手段と、
前記ロック解除検出信号に基づいて、ロック解除されていない場合には、前記電気的ロック解除手段による前記ロック解除指示信号の生成を禁止する前記電気ロック加除抑制手段とを、さらに備える請求項２に記載のスイッチ機構。
【請求項５】
前記スイッチ機構は、平面型表示部を蓋として一端辺を軸として回動自在に構成される、ディスクメディアが自由に交換できるディスクメディアドライブ装置を備えたクラムシェルタイプのノート型パーソナルコンピュータに設けられ、
前記第１のロック機構は、前記平面型表示部が閉じられた状態で前記型ノートパーソナルコンピュータに固定する機械的リンケージであり、
前記第２のロック機構は、前記平面型表示部に対向するように回動自在に設けられたディスクメディアドライブ装置の蓋が閉じられた状態で固定する電気的に駆動されるリンケージである、請求項１乃至４に記載のスイッチ機構。
【請求項６】
前記平面型表示部が回動して開かれている程度を検出して開度検出信号を生成する開度検出手段と、
前記開度検出信号に基づいて、前記平面型表示部が予定の開度以上開いていない場合には、前記電気的ロック解除手段による前記ロック解除指示信号の生成を禁止する前記電気ロック解除抑制手段とを、さらに備える請求項５に記載のスイッチ機構。
【請求項７】
平面型表示部を蓋として一端辺を軸として回動自在に構成され、ディスクメディアが自由に交換できるディスクメディアドライブ装置を備えたクラムシェルタイプのパーソナルコンピュータであって、前記平面型表示部を閉じた状態で固定する第１のロック機構と、前記平面型表示部に対向するように回動自在に設けられたディスクメディアドライブ装置の蓋を閉じた状態で固定する第２のロック機構とを備え、前記第１のロック機構にリンクされるスイッチの動作に応じて、前記第２のロック機構をロック解除させるスイッチ機構を備えるパーソナルコンピュータ。
【発明の詳細な説明】
【０００１】
【発明の属する技術分野】
本発明は、１つのボタンで二つのロックされた対象に対してリリースを許可する機構に関し、より特定的には、ノート型パーソナルコンピュータにおいて、１つのボタンで液晶ディスプレイ部およびドライブの蓋のリリースを許可するスイッチ機構に関する。
【０００２】
【従来の技術】
近年、ノートパソコンに代表される携帯型情報処理装置では、音楽や映像といった大容量のマルチメディアデータが扱われる。マルチメディアデータを鑑賞あるいは編集するために、ノートパソコンには、ＣＤ−ＲやＣＤ−ＲＷ、ＤＶＤ−Ｒ等の光ディスクドライブが搭載される。
【０００３】
ノートパソコンに搭載される光ディスクドライブは、一般的には、ノートパソコン本体から光ディスクを装着するためのトレイが射出されるトレイ式である。
つまり、光ディスクをセットする際には、ユーザはトレイを引き出さなければならない。
【０００４】
このようなトレイ式の光ディスクドライブの一例として、フロントローディングトレイ方式において、防塵構造を改良したものが提案されている（特許文献１）。
【０００５】
【特許文献１】
特開２０００−１１５１０号公報
【０００６】
【発明が解決しようとする課題】
従来のクラムシェルタイプのノートパソコンの多くは、光ディスクメディアを利用する為に、トレイ式の光ディスクドライブを内蔵している。トレイ式の光ディスクドライブは、内部に収容されたトレイを引き出して光ディスクメディアを装脱着する。そのために、光ディスクドライブの周囲には、トレイを引き出す為のスペースを必要とする。
【０００７】
トレイは、通常外部に引き出す方向に働く付勢力が付与されている。トレイを光ディスク内に収容する場合は、付勢力に抗して、トレイを光ディスクドライブ内に押し込み、内部に設けられたロック機構の働きによってトレイを固定させる。トレイを引き出す場合には、ロック機構を解除して付勢力を解放させる。結果、トレイは付勢力によって光ディスクドライブの外に向かって引き出される。
【０００８】
このロック機構を解除するためのリリースボタンが、光ディスクドライブの近傍（例えば、ノートパソコンの側面）に設けられている。そのために、ノートパソコンを使用していない、光ディスクメディアの装脱着を行わないような場合にも、リリースボタンが押下されてしまう可能性がある。例えば、ノートパソコンの運送中において、トレイのリリースボタンが誤って押されてまい、ユーザの意に反してトレイが飛び出してしまうことがある。この場合、飛び出したトレイが何かと当たって壊れたり、装着されている光ディスクが脱着して落ちたりする可能性がある。
【０００９】
トレイを射出させる機構は複雑であり、かつ壊れやすい。また、トレイ及びトレイの収納／射出機構を格納するために、光ディスクドライブとしての機能を実現するに必至なスペースに比べて、大きな収納スペースを要する。これは、コンパクトさが重要なノートパソコンでは大きな問題である。
【００１０】
さらに、従来のクラムシェル型ノートパソコンにおいて、蓋の役目を果たす液晶ディスプレイを、本体からリリースさせるリリースボタンと、光ディスクドライブのトレイを射出させるリリースボタンとは、それぞれ別個に設けられている。これらの２種類のリリースボタン、および連動するリリース機構を収納必要とされるスペースは、小型化、軽量化が求められるノートパソコンにおいて大きな負担である。
【００１１】
それゆえに、本発明の目的は、１つのボタンで二つのロック機構に対してリリースを許可するスイッチ機構を提供することである。
【００１２】
【課題を解決するための手段および発明の効果】
本発明は、第１のロック機構に機械的にリンクされると共に、第２のロック機構には電気的にリンクされるスイッチの動作に応じて、当該第２のロック機構をロック解除させるロック解除指示信号を生成するスイッチ機構である。
【００１３】
上述のように、本発明においては、１つのスライドスイッチに対するユーザの動作に基づいて、異なる２種類のロック機構を解除できる。
【００１４】
【発明の実施の形態】
まず、本発明の実施形態にかかるスイッチ機構について具体的に説明する前に、本発明の基本概念について説明する。従来の技術にかかるクラムシェルタイプのノートパソコンにおける数々の問題点は、主にトレイ式の光ディスクドライブがノートパソコンから飛び出してしまうことに起因している。それ故に、本発明に係るクラムシェル型ノートパソコンにおいて、トレイが引き出される光ディスクドライブに代わり、トレイ等が引き出されることのない固定式の光ディスクドライブが内蔵される。
【００１５】
図１を参照して本発明に係るノートパソコンについて説明する。ノートパソコン１１においても、従来と同様に、蓋の役目を果たす液晶ディスプレイ１３は、ノートパソコンの本体に機械的にロックされると共に、そのロックを解除するリリースボタン３１が設けられている。但し、ノートパソコン１１のキーボードおよびパームレストの下側に、光ディスクドライブ１９が固定的に設けられている。なお、パームレストの一部分が光ディスクドライブ１９の蓋１５として構成されている。蓋１５はそのキーボード側端部が回動自在に固定されて、光ディスクドライブ１９に光ディスク（図示せず）を装脱着する際には、手前側の非固定部が跳ね上げられる。
【００１６】
つまり、蓋１５は、開状態、つまり跳ね上げられる方向に付勢されており、光ディスクドライブ１９の使用時には、付勢力に抗して閉められる。そして、蓋１５は、ロック機構によってロックされる。なお、ロック機構は、ユーザによるリリースボタン３１の操作に応答して生成される指示信号（Ｓ１）によって、ロックおよびアンロックの２つの状態の何れかの状態になるように駆動される。つまり、ノートパソコン１１においては、液晶ディスプレイ１３のロックを解除させるリリースボタン３１が、光ディスクドライブ１９の蓋１５のロックを解除させる機能を兼務している。
【００１７】
ノートパソコン１１の非使用時には、通常、光ディスクドライブ１９の蓋１５（以下、ドライブの蓋１５）は閉じられていると共に、ノートパソコン１１の蓋としても用いられる液晶ディスプレイ１３も閉じられている。このような状況において、従来のようにドライブの蓋１５のリリースボタン３１が押下された場合、ドライブの蓋１５が跳ね上がって液晶ディスプレイ１３の内面に当たり、液晶画面を傷つける恐れがある。これを防止するために、ドライブの蓋１５は、ノートパソコン１１の使用時、つまり液晶ディスプレイ１３が開いている時にのみ跳ね上がることが望ましい。
【００１８】
このような要求を満たすには、ドライブの蓋１５のリリースボタン３１を、液晶ディスプレイ１３が開いた状態にある場合にのみユーザが触れることができる位置に設けたり、あるいは、パソコンが実際に起動している場合にのみ働くように構成したりすることが考えられる。この観点から、クラムシェル型ノートパソコン１１が使用可能な状態（例えば液晶ディスプレイ１３が開いた状態）になってから、ドライブの蓋１５を開けることができる、つまり、使用上のインターロックを与えることが必要である。しかしながら、その場合、装置が必要以上に複雑になったり、部品点数が多くなったりするという問題がある。
【００１９】
そこで、本発明では、クラムシェル型パソコンにおいて、使用時にはユーザは必ず操作しなければならないパソコン本体に設けられているリリースボタン３１に、ドライブの蓋１５のロックを解除して開かせるリリース機能を兼務させるものである。さらに、リリースボタンの操作状態に基づいて、ユーザが蓋１５を開こうとしているのか否かを判定して、判定結果にもとづいて、蓋１５のロック解除動作を制御するものである。
【００２０】
（第１の実施形態）
第１の実施形態において、ノートパソコン１１は、複数のリリース機能を兼務するスイッチ機構を内蔵する。リリース機能は、液晶ディスプレイ１３およびドライブの蓋１５の開放に対応する。以下に、本発明の第１の実施形態に係るスイッチ機構について説明する。
【００２１】
まず、図２を参照して、本発明に係るスイッチ機構に含まれるリリースボタン３１について説明する。図２は、図１におけるノートパソコン１１の下部ケース１８に設けられるリリースボタン３１の拡大図である。リリースボタン３１は、スライドバー２１と、開放検知器ＳＷ１とを含む。開放検知器ＳＷ１は、当接部２３と、信号生成部２５とを含む。
【００２２】
図２において、上段にはユーザによって操作されていない状態のリリースボタン３１ａが示され、下段にはユーザによって操作されている状態のリリースボタン３１ｂが示されている。スライドバー２１は、開放検知器ＳＷ１と反対方向に付勢されており、つまりリリースボタン３１ａの状態である。
【００２３】
ノートパソコン１１の蓋（以下、液晶ディスプレイ１３）が閉じた状態にある場合、リリースボタン３１ａのスライドバー２１は、開放検知器ＳＷ１の反対側の端部（図２においては、左端）に位置して、液晶ディスプレイ１３をその位置に固定するロック機構（図示せず）とリンクして作動する。そして、ユーザがスライドバー２１を、開放検知器ＳＷ１の方向に移動させると、ロック機構とのリンクが解消されて、液晶ディスプレイ１３は開放される。
【００２４】
また、スライドバー２１がスライドされることによって、当接部２３が信号生成部２５内に押し込まれる。このとき、開放検知器ＳＷ１は、リリースボタン３１がＯＮであること、つまり液晶ディスプレイ１３が開かれたものと検知する。また、開放検知器ＳＷ１は、ＯＮとＯＦＦとに対応する、ＨｉｇｈレベルおよびＬｏｗレベルの２値の信号を出力する。本例においては、Ｈｉｇｈレベルは、ユーザがスライドバー２１をスライドさせたことの検出を意味する。Ｌｏｗレベルは、ユーザがスライドバー２１をスライドさせていないことの検出を意味する。
【００２５】
このように、液晶ディスプレイ１３が閉じた状態において、ユーザがスライドバー２１を一度スライドさせると、液晶ディスプレイ１３を開くことができる。本実施の形態においては、液晶ディスプレイ１３が開いた状態において、ユーザがスライドバー２１をスライドさせるとドライブの蓋１５が開放されるが、これついては、後述する。
【００２６】
図３に示すブロック図を参照して、本発明の第１の実施形態に係るスイッチ機構１７ａの構成について説明する。
【００２７】
スイッチ機構１７ａは、ノートパソコン１１に内蔵されている。スイッチ機構１７ａは、好ましくは、論理回路によって実現されるが、プログラムによって実現されてもかまわない。スイッチ機構１７ａは、開放検知器ＳＷ１と、処理部３５とを含む。光ディスクドライブ１９は、ドライブ開放部３７を含む。ドライブ開放部３７は、蓋１５を閉の位置で固定するロック機構のロックを解除させる手段である。
【００２８】
開放検知器ＳＷ１は、上述の如くリリースボタン３１の操作状態を２値で示す信号を処理部３５に出力する。本実施形態において、リリースボタン３１が操作されることは、ユーザによりスライドバー２１がスライドされ、開放検知器ＳＷ１がＯＮになりＨｉｇｈレベルの信号Ｓ１が出力される。リリースボタン３１が操作されない状態、つまり開放検知器ＳＷ１はリリースボタン３１がＯＦＦの状態であることを検知する場合、Ｌｏｗレベルを出力する。本発明において、Ｈｉｇｈレベルは、液晶ディスプレイ１３またはドライブの蓋１５を開くというユーザの意志を検知していると理解される。以降この２値信号をリリース指示信号Ｓ１と呼称する。
【００２９】
処理部３５は、リリース指示信号Ｓ１（リリースボタン３１の操作状態）に基づいて、ドライブの蓋１５を開放させるか否かを判断し、判断結果に基づいて、２値の信号Ｓ２をドライブ開放部３７に対して出力する。本実施の形態においては、ドライブ開放部３７は、信号Ｓ２がＨｉｇｈであればロックを解除して蓋１５を開放し、信号Ｓ２がＬｏｗであればロックを解除しない。この意味において、この信号Ｓ２を蓋開放指示信号Ｓ２と呼称する。
【００３０】
処理部３５は、ドライブの蓋１５を開放するか否かを判断するために、判断基準として用いるリリース指示信号Ｓ１の履歴（以降、「Ｓ１履歴」と呼称する）をメモリ（図示せず）に格納する。Ｓ１履歴には、開放検知器ＳＷ１から受け取ったリリース指示信号Ｓ１のレベルを示す情報が記憶されるが、詳細については後ほど図４を参照して説明する。
【００３１】
処理部３５は、リリースボタン３１が続けて２回操作される、好ましくは所定時間内に２回操作されると、ドライブの蓋１５を開放すると判断する。このとき、開放検知器ＳＷ１から受け取るリリース指示信号Ｓ１は、Ｈｉｇｈである。処理部３５は、ドライブの蓋１５を開放すると判断すると、ドライブ開放部３７にＨｉｇｈの蓋開放指示信号Ｓ２をドライブ開放部３７に出力して、ドライブの蓋１５を開放するように指示する。一方、処理部３５は、ドライブの蓋１５を開放しないと判断した場合には、ドライブ開放部３７にＬｏｗの蓋開放指示信号Ｓ２を出力する。
【００３２】
ドライブ開放部３７は、処理部３５からＨｉｇｈの蓋開放指示信号Ｓ２を受けてドライブの蓋１５を開放する。ドライブの蓋１５を開放させるための指示は、ドライブの蓋１５を開く機構は、典型的にはソレノイドスイッチであり、このソレノイドスイッチを駆動させることによって、ドライブの蓋１５を開放する。具体的には、ドライブの蓋１５を押し上げようとするバネの力に対抗して、ドライブの蓋１５を止めておくロック機構を、ソレノイドスイッチによって解除することによってドライブの蓋１５を開く。つまり、蓋開放指示信号Ｓ２はソレノイドの駆動信号である。
【００３３】
図４を参照して、リリースボタン３１の操作（ＯＮ／ＯＦＦ）パターンと、液晶ディスプレイ１３およびドライブの蓋１５の開閉の関係について説明する。同図において、左側部はＳ１履歴を表し、中央部はリリース指示信号Ｓ１に対応する液晶ディスプレイの開閉状態を表し、右側部はリリース指示信号Ｓ１に対応する蓋開放指示信号Ｓ２の値と、ドライブ開放部３７に対するドライブの蓋１５の開閉指示を表している。また信号履歴において、Ｈは信号がＨｉｇｈレベルであることを示し、Ｌは信号がＬｏｗレベルであることを示す。
【００３４】
つまり、図４には、リリース指示信号Ｓ１と蓋開放指示信号Ｓ２の状態変化である信号履歴が表されている。そして、信号履歴には、Ｓ１履歴３９と、液晶ディスプレイ１３の開閉状態を示す情報と、処理部３５が出力する蓋開放指示信号Ｓ２のレベルを示す情報とが含まれている。Ｓ１履歴３９には、開放検知器ＳＷ１から受けとったリリース指示信号Ｓ１のレベルを示す情報が、受け取った順番に保存される。なお、メモリには、Ｓ１履歴３９のみが記憶されるが、この他に、液晶ディスプレイ１３の状態を示す情報や、処理部３５から出力される蓋開放指示信号Ｓ２のレベルを示す情報が記憶されてもよい。
【００３５】
液晶ディスプレイ１３が閉じた状態において、リリースボタン３１の操作が０回目、つまり、リリースボタン３１が操作されていないとみなされる場合、リリースボタン３１はＯＦＦであるため、開放検知器ＳＷ１は、Ｌｏｗのリリース指示信号Ｓ１を出力する。処理部３５は、開放検知器ＳＷ１からＬｏｗのリリース指示信号Ｓ１を受け取ると、ドライブ開放部３７にＬｏｗの蓋開放指示信号Ｓ２を渡す。この場合、上述のようにリリース指示信号Ｓ１はＨｉｇｈでないため、ドライブの蓋１５は開放されない。
【００３６】
次に、１回目のリリースボタン３１の操作が行われた場合、開放検知器ＳＷ１は、リリースボタン３１がＯＮ、つまり液晶ディスプレイ１３を開くというユーザの意志を検知し、Ｈｉｇｈのリリース指示信号Ｓ１を出力する。Ｈｉｇｈのリリース指示信号Ｓ１の受け取り回数は１回目である。つまり、この時点でまでは液晶ディスプレイ１３は閉ざされたままであるので、このリリース指示信号Ｓ１（Ｈｉｇｈ）は、ユーザの意志は液晶ディスプレイ１３を開くことにあって光ディスクドライブ１９を開放するものでは無いと解される。よって、処理部３５はドライブの蓋１５を開放さされない。このとき処理部３５からドライブ開放部３７に出力される蓋開放指示信号Ｓ２はＬｏｗレベルである。
【００３７】
リリースボタン３１の操作が２回目、つまりリリースボタン３１の１回目の操作の時点で液晶ディスプレイ１３は既に開いている状態でリリースボタン３１の操作は、ユーザが光ディスクドライブ１９の蓋１５を開くことを望んでいると解される。よって、処理部３５は、Ｈｉｇｈのリリース指示信号Ｓ１をドライブ開放部３７に出力する。ドライブ開放部３７は、処理部３５からＨｉｇｈの蓋開放指示信号Ｓ２を受け取ると、ドライブの蓋１５を開放する。本実施の形態においては、処理部３５が開放検知器ＳＷ１から２回連続してＨｉｇｈのリリース指示信号Ｓ１を受け取った時に、ドライブの蓋１５が開放される。
【００３８】
図５に示すタイムチャートを参照して、図４の信号履歴と処理部３５の動作を時間の経過と共に説明する。同図においては、開放検知器３１から入力されるリリース指示信号Ｓ１の値がＨｉｇｈとＬｏｗの間で代わるまでの期間をそれぞれサイクルＣ１、Ｃ２、Ｃ３、およびＣ４として表示している。なお、図４に示された操作回数の０回目は、サイクルＣ１に対応し、操作回数１回目はサイクルＣ２とサイクルＣ３とに対応し、操作回数２回目はサイクルＣ３とサイクルＣ４とに対応している。つまり、処理部３５は、４つのサイクルＣ１、Ｃ２、Ｃ３、およびＣ４のそれぞれに入力されたリリース指示信号Ｓ１（Ｃ１）、Ｓ１（Ｃ２）、Ｓ１（Ｃ３）、およびＳ１（Ｃ４）をラッチして、その組み合わせ状態に応じて、蓋開放指示信号Ｓ２の値を決定している。
【００３９】
図６に示すフローチャートを参照して、処理部３５の動作について説明する。まず、ステップＳ１０１において、処理部３５は、リリース指示信号Ｓ１に基づいて、リリースボタン３１がＯＮであるか否かを判断する。具体的には、処理部３５は、開放検知器ＳＷ１から受け取ったリリース指示信号Ｓ１がＨｉｇｈレベルであるか否かを判断する。本ステップにおいては、リリースボタン３１のＯＮ／ＯＦＦ状態に基づいて、ユーザが液晶ディスプレイ１３を開こうとしたか否かが判断される。
【００４０】
ステップＳ１０１においてＮｏ、つまりリリースボタン３１がＯＦＦである場合（サイクルＣ１）、処理は再びステップＳ１０１に戻る。なお、リリースボタン３１がＯＦＦであることは、ユーザは液晶ディスプレイ１３を開こうとしていないので、ステップＳ１０１でユーザによるスライドバー２１の操作を監視し続ける。つまり、図５に示すように、サイクルＣ１において開放検知器ＳＷ１から処理部３５に渡されるリリース指示信号Ｓ１（Ｃ１）はＬｏｗレベルである。ステップＳ１０１においてリリースボタン３１がＯＮであると判断されるまで、ステップＳ１０１の処理が繰り返し行われる。
【００４１】
一方、ステップＳ１０１においてＹｅｓ、つまりリリースボタン３１がＯＮである場合（サイクルＣ２）には、処理は次のステップＳ１０３に進む。リリースボタン３１がＯＮである場合、開放検知器ＳＷ１から処理部３５に渡されるリリース指示信号Ｓ１（Ｃ２）は、Ｈｉｇｈレベルである。
【００４２】
ステップＳ１０３において、リリース指示信号Ｓ１（Ｃ２）をＨｉｇｈレベルからＬｏｗレベルに変更する、キャンセル条件が満たされているか否かが判断される。キャンセル条件の一例としては、リリース指示信号Ｓ１（Ｃ２）がＨｉｇｈレベルとなってから所定の時間Ｔが経過しているか否かがある。具体的には、本ステップにおいて、時間Ｔに比べて十分に短い単位時間△Ｔが計時された後に、処理は次のステップＳ１０５に進む。
【００４３】
ステップＳ１０５において、上述のステップＳ１０１と同様に、リリースボタン３１がＯＮであるか否かが判断される。Ｎｏと判断される場合、処理は上述のステップＳ１０３に戻る。
【００４４】
そして、ステップＳ１０３において、前回同ステップにおいて計時された時間△Ｔが時間Ｔ以上であるか否かが判断される。そして、次ステップＳ１０５において再度Ｎｏと判断される場合は、本ステップで前回に計時された△Ｔが累積された△ＴｘＮが時間Ｔ以上であるか否かが判断される。なお、Ｎは本ステップで単位時間が計時された回数である。そして本ステップにおいてＮｏと判断され、次ステップＳ１０７でＹｅｓと判断された時点で処理は次のステップＳ１０７に進む。
【００４５】
ステップＳ１０７において、ドライブリリース指示が行われる。具体的には、処理部３５は、ドライブ開放部３７にＨｉｇｈレベルの蓋開放指示信号Ｓ２を出力し、ドライブの蓋１５を開放するよう指示する。ドライブ開放部３７は、処理部３５から指示を受け取ると、ドライブの蓋１５を開放する。
【００４６】
一方、ステップＳ１０３でＹｅｓと判断される場合、処理はステップＳ１０９に進む。ステップＳ１０９において、Ｓ１履歴がキャンセルされる。これは、ユーザによるリリースボタン３１の１回目の操作後、所定時間以内に２回目の操作が行われたか否かを判断する（Ｓ１０３）。これは、１回目の操作から２回目の操作までの間に時間が掛かり過ぎている場合には、ユーザは１回目の操作をしたことを忘れていて、２回目の操作を１回目と誤認している可能性を考慮しているものである。このような場合、ユーザは再度液晶ディスプレイ１３を閉めてしまっていることがある。このような場合に、リリースボタン３１がユーザの真意に反して操作され、液晶ディスプレイ１３が開かれてない状態で、ドライブの蓋１５が跳ね上がって液晶ディスプレイ１３に当たることを防止できる。そのため、液晶ディスプレイ１３を傷つけることがない。
【００４７】
以上のステップＳ１０１〜Ｓ１０９における処理を繰り返すことで、ドライブの蓋１５の開放が行われる。これにより、ユーザの意図に反してドライブ１９の蓋１５が跳ね上がることがない。また、リリースボタン３１をドライブの蓋１５のリリーススイッチとして兼務させることによって、新たに別のリリーススイッチを設けるためのスペースが不要となる。さらに、従来と同様の位置に設けられているリリースボタン３１に光ディスクドライブ１９の蓋１５のリリーススイッチを兼務させることにより、ユーザにとって違和感が少なく、誤操作も少ない。
【００４８】
なお、本実施形態において、所定時間以内に２回目のリリースボタン３１の操作が行われない場合、メモリがリセットされる。ここで、リリースボタン３１は、時間をカウントする代わりに、液晶ディスプレイ１３が閉じられたことを検知してもよい。その場合、スイッチ機構１７は、液晶ディスプレイ１３が閉じられたことを検知する機構を備える必要がある。また、このとき、ステップＳ１０３の代わりに、液晶ディスプレイ１３が閉じられたか否かを判断する処理が行われる。液晶ディスプレイ１３を開くためにリリースボタン３１が一度操作された後、ドライブの蓋１５が開放されることなく液晶ディスプレイ１３が閉じられた場合、処理部３５は、メモリに記憶されているＳ１履歴３９をリセットする。これにより、液晶ディスプレイ１３が閉じた状態にある場合において、ドライブの蓋１５が跳ね上がって液晶画面を傷つけることがない。
【００４９】
なお、本実施形態において、所定時間以内に２回目のリリースボタン３１の操作が行われない場合、メモリがリセットされるが、この処理が不要である場合、ステップＳ１０３およびステップＳ１０９の処理は行われなくてもよい。メモリに信号Ｓ１履歴３９を記憶するのは、主にリリーススイッチ３１の２回目の操作の信頼性を確保するためである。従って、所定時間以内に２回目のリリースボタン３１の操作が行われるか否かの判断の必要がない場合、メモリに操作状態（Ｓ１履歴３９）は記憶されなくともよい。
【００５０】
（第２の実施形態）
次に、本発明の第２の実施形態について説明する。第１の実施形態では、液晶ディスプレイ１３が開放されていると判断された場合、実際に液晶ディスプレイ１３が開いているか否かに関わらず、処理部３５によってドライブの蓋１５が開放されるための指示がなされた。しかしながら、リリースボタン３１の操作が二回目であっても、リリースボタン３１が誤操作される可能性があるため、必ずしも液晶ディスプレイ１３が開いているとは限らない。そこで、第２の実施形態においては、液晶ディスプレイ１３が確実に開いた場合についてのみ、ドライブの蓋１５が開放される。
【００５１】
図７を参照して、本発明の第２の実施形態に係るスイッチ機構１７ｂについて説明する。第２の実施形態において、スイッチ機構１７ｂは、液晶ディスプレイ１３が開かれたことを確認する角度検知器ＳＷ２を含む。角度検知器ＳＷ２は光学センサであり、ノートパソコン１１の本体部分（下部ケース１８）に設けられる。また、角度検知器ＳＷ２は、ＯＮとＯＦＦとに対応する、Ｈｉｇｈ（Ｈ）レベルおよびＬｏｗ（Ｌ）レベルの２値の信号を出力する（図８）。
【００５２】
図７において、上段には液晶ディスプレイ１３が閉じられている状態のノートパソコン１１ａが示され、下段には液晶ディスプレイ１３が閉じられている状態のノートパソコン１１ｂが示されている。角度検知器ＳＷ２は、光が入射せず暗い状態にある場合、液晶ディスプレイ１３が閉じられていることを検知し（１１ａ）、Ｌｏｗレベルの信号Ｓ３を出力する。また、液晶ディスプレイ１３が開いている場合、角度検知器ＳＷ２は、周囲の明るさや液晶ディスプレイ１３の明るさによって明るいことを検知し（１１ｂ）、Ｈｉｇｈの信号Ｓ３を出力する。
【００５３】
図８に示すブロック図を参照して、本発明の第２の実施形態に係るノートパソコン１１のスイッチ機構１７ｂの構成について説明する。スイッチ機構１７ｂは、角度検知器ＳＷ２が追加された構造を有している。なお、前述の第１の実施形態におけるスイッチ機構１７と同じ構成要素については、同一の符号を付し、説明を省略する。
【００５４】
スイッチ機構１７ｂは、開放検知器ＳＷ１と、角度検知器ＳＷ２と、処理部３５とを含む。光ディスクドライブ１９は、ドライブ開放部３７を含む。角度検知器ＳＷ２は、液晶ディスプレイ１３の開閉状態を示す信号Ｓ３を処理部３５に渡す。液晶ディスプレイ１３が閉じた状態である場合、角度検知器ＳＷ２はＯＦＦの状態、つまりＬｏｗレベルの信号Ｓ３を処理部３５に渡す。液晶ディスプレイ１３が開いた状態である場合、角度検知器ＳＷ２はＯＮの状態を検知する。このとき、本実施形態において、角度検知器ＳＷ２から処理部３５に渡される信号Ｓ３はＨｉｇｈである。
【００５５】
処理部３５は、開放検知器ＳＷ１から受け取ったリリース指示信号Ｓ１と、角度検知器ＳＷ２から受け取った信号Ｓ３とに基づいて、ドライブの蓋１５を開放するか否かを判断する。処理部３５は、開放検知器ＳＷ１から受け取ったリリース指示信号Ｓ１のレベル（ＨまたはＬ）と、角度検知器ＳＷ２から受け取った信号Ｓ３のレベル（ＨまたはＬ）とを、メモリ（図示せず）にＳ１／Ｓ３履歴４０として記憶する。具体的には、処理部３５は、角度検知器ＳＷ２から受け取った信号Ｓ３がＨｉｇｈレベルである状態において、Ｈｉｇｈレベルのリリース指示信号Ｓ１を受け取った場合に、ドライブの蓋１５を開放すると判断する。
【００５６】
図９に示す、メモリに記憶された信号履歴を参照して、リリースボタン３１の操作（ＯＮ／ＯＦＦ）パターンと、液晶ディスプレイ１３およびドライブの蓋１５の開閉の関係について説明する。信号履歴には、Ｓ１／Ｓ３履歴４０と、液晶ディスプレイ１３の開閉状態と、処理部３５から出力される信号Ｓ４の値とが含まれている。メモリには、Ｓ１／Ｓ３履歴４０のみが記憶されるが、この他に処理部３５から出力される信号Ｓ４の値が記憶されてもよい。
【００５７】
液晶ディスプレイ１３が閉じた状態において、リリースボタン３１の操作回数が０回目、つまり、リリースボタン３１が操作されていない状態である場合、開放検知器ＳＷ１はリリースボタン３１がＯＦＦであることを検知する。従って、開放検知器ＳＷ１から処理部３５に渡されるリリース指示信号Ｓ１はＬｏｗである。また、このとき、角度検知器ＳＷ２は、液晶ディスプレイ１３が閉じられていることを検知する。従って、角度検知器ＳＷ２から処理部３５に渡される信号Ｓ３はＬｏｗである。処理部３５は開放検知器ＳＷ１からＬｏｗレベルのリリース指示信号Ｓ１を受け取り、角度検知器ＳＷ２からＬｏｗレベルの信号Ｓ３を受け取ると、ドライブ開放部３７にＬｏｗレベルの蓋開放指示信号Ｓ４を渡す。ドライブの蓋１５は開放されない。
【００５８】
リリースボタン３１の操作回数が１回目、つまり、液晶ディスプレイ１３が閉じた状態においてリリースボタン３１が操作されると、液晶ディスプレイ１３が開く。このとき開放検知器ＳＷ１はＯＮであることを検知し、処理部３５にＨｉｇｈレベルのリリース指示信号Ｓ１を渡す。また、角度検知器ＳＷ２は、液晶ディスプレイ１３が開かれていることを検知する。従って、角度検知器はＯＮの状態となり、角度検知器ＳＷ２から処理部３５に渡される信号Ｓ３はＨｉｇｈである。処理部３５は開放検知器ＳＷ１からＨｉｇｈレベルのリリース指示信号Ｓ１を受け取る。このとき、処理部３５はドライブの蓋１５を開放しないと判断する。このとき処理部３５からドライブ開放部３７に渡される蓋開放指示信号Ｓ４はＬｏｗレベルである。
【００５９】
リリースボタン３１の操作回数が２回目、つまり液晶ディスプレイ１３が開いた状態でリリースボタン３１が操作されると、ドライブの蓋１５が開放される。このとき開放検知器ＳＷ１はＯＮであることを検知し、Ｈｉｇｈのリリース指示信号Ｓ１を出力する。角度検知器ＳＷ２は、液晶ディスプレイ１３が開かれていることを示すＨｉｇｈレベルの信号Ｓ３を出力する。処理部３５は、信号Ｓ３がＨｉｇｈレベルである状態において、Ｈｉｇｈレベルのリリース指示信号Ｓ１を受け取ると、ドライブの蓋１５を開放すると判断する。このとき、処理部３５から出力される蓋開放指示信号Ｓ４は、Ｈｉｇｈである。ドライブ開放部３７は、処理部３５からＨｉｇｈレベルの蓋開放指示信号Ｓ４を受け取ると、ドライブの蓋１５を開放する。
【００６０】
図１０に示すタイムチャートを参照して、図９の信号履歴と処理部３５の動作を時間の経過と共に説明する。同図においては、開放検知器ＳＷ１から入力されるリリース指示信号Ｓ１の値および角度検知器ＳＷ２から入力される信号Ｓ３の値がＨｉｇｈレベルとＬｏｗレベルとの間で代わるまでの期間をそれぞれサイクルＣ１、Ｃ２、Ｃ３、およびＣ４として表示している。なお、図１０に示された操作回数の０回目はサイクルＣ１に対応し、操作回数１回目はサイクルＣ２とサイクルＣ３とに対応する。操作回数２回目はサイクルＣ３とサイクルＣ４に対応している。つまり、処理部３５は、４つのサイクルＣ１、Ｃ２、Ｃ３、およびＣ４のそれぞれに入力された信号Ｓ１（Ｃ１）、信号Ｓ３（Ｃ３）、Ｓ１（Ｃ２）、Ｓ３（Ｃ３）、Ｓ１（Ｃ３）、Ｓ３（Ｃ３）、Ｓ１（Ｃ４）および信号Ｓ３（Ｃ４）をラッチして、その組み合わせ状態に応じて、蓋開放指示信号Ｓ４の値を決定している。
【００６１】
図１１に示すフローチャートを参照して、処理部３５の動作について説明する。図１０に示されたフローチャートは、図５に示された第１の実施形態に係る処理部３５の動作を示すフローチャートにおいて、ステップＳ１０３の処理をステップＳ２０１に置換したものである。このため、図５のフローチャートと同一のステップについては、詳細な説明を省略する。
【００６２】
ステップＳ１０１において、処理部３５は、リリースボタン３１がＯＮであるか否かを判断する。具体的には、処理部３５は、開放検知器ＳＷ１から受け取ったリリース指示信号Ｓ１がＨｉｇｈレベルであるか否かを判断する。
【００６３】
ステップＳ１０１においてＮｏ、つまりリリースボタン３１がＯＦＦである場合（サイクルＣ１）、処理は再びステップＳ１０１に戻る。つまり、開放検知器ＳＷ１から処理部３５に渡されるリリース指示信号Ｓ１（Ｃ１）はＬｏｗレベルである。また、このとき、角度検知器ＳＷ２は液晶ディスプレイ１３が開かれていないことを検知し、Ｌｏｗレベルの信号Ｓ３（Ｃ１）を出力する。ステップＳ１０１においてリリースボタン３１がＯＮであると判断されるまで、ステップＳ１０１の処理が繰り返し行われる。
【００６４】
一方、ステップＳ１０１においてＹｅｓ、つまりリリースボタン３１がＯＮである場合（サイクルＣ２）には、処理は次のステップＳ１０３に進む。リリースボタン３１がＯＮである場合、開放検知器ＳＷ１から処理部３５に渡されるリリース指示信号Ｓ１（Ｃ２）は、Ｈｉｇｈレベルである。また、液晶ディスプレイ１３が開かれると、角度検知器ＳＷ２は、液晶ディスプレイ１３が開かれたことを検知し、Ｈｉｇｈレベルの信号Ｓ３（Ｃ２）を出力する。
【００６５】
ステップＳ２０１において、液晶ディスプレイ１３が開かれているか否かが判断される。具体的には、処理部３５は、角度検知器ＳＷ２から受け取る信号Ｓ３がＨｉｇｈレベルであるか否かを判断する。
【００６６】
ステップＳ２０１においてＮｏ、つまり液晶ディスプレイ１３が閉じている場合、処理はステップＳ１１１に進む。このとき、角度検知器ＳＷ２から処理部３５に渡される信号Ｓ３（Ｃ１）は、Ｌｏｗレベルである。なお、ステップＳ１１１におけるメモリリセット処理は、図６に示すフローチャートのステップＳ１１１と同様であるため、説明は省略する。
【００６７】
一方、ステップＳ２０１においてＹｅｓ、液晶ディスプレイ１３が開いている場合、処理はステップＳ１０５に進む。このとき、角度検知器ＳＷ２から処理部３５に渡される信号Ｓ３（Ｃ２）は、Ｈｉｇｈレベルである。
【００６８】
ステップＳ１０５において、再びリリースボタン３１がＯＮであるか否かが判断される。ステップＳ１０５においてＮｏである場合、処理はステップＳ２０１に戻る。このとき、処理部３５が受け取るリリース指示信号Ｓ１（Ｃ３）はＬｏｗレベルである。ステップＳ２０１おいて再びＹｅｓ、つまり液晶ディスプレイ１３が開いている場合、処理はステップＳ１０５に進む。このとき、角度検知器ＳＷ２が出力する信号Ｓ３はＨｉｇレベルである。このように、液晶ディスプレイ１３が閉じられる、または２回目のリリーススイッチの操作が行われるまで、ステップＳ２０１およびステップＳ１０５の処理が繰り返し行われる。ここで、例えば、ドライブの蓋１５が開かれることなく液晶ディスプレイ１３が閉じられた場合、ステップＳ２０１においてＮｏと判断される。そのため、液晶ディスプレイ１３が閉じている場合にドライブの蓋１５が開かれることを防ぐことができる。
【００６９】
一方、ステップＳ１０５においてＹｅｓである場合、処理はステップＳ１０７に進む。このとき、処理部３５が受け取るリリース指示信号Ｓ１（Ｃ４）はＨｉｇｈレベルである。そして、処理はステップＳ１０９に進む。ステップＳ１０９において、ドライブの蓋１５の開放が行われる。
【００７０】
以上のように、ステップＳ１０１、ステップＳ１０３、ステップＳ２０１およびステップＳ１０５〜Ｓ１０９の処理を繰り返すことで液晶ディスプレイ１３が確実に開いた状態でドライブの蓋１５の開放が行われる。これにより、リリースボタン３１を操作しても液晶ディスプレイ１３が開かなかった場合に、ドライブの蓋１５を開放し、液晶画面１３を傷つけることがない。また、液晶ディスプレイ１３を開いてもドライブの蓋１５を開かずに液晶ディスプレイ１３を閉じた場合においても、角度検知器ＳＷ２からの信号Ｓ３に基づいて、処理部３５がメモリをリセットするため、液晶ディスプレイ１３が閉じた状態においてドライブの蓋１５が開かれて液晶ディスプレイ１３を傷つけることがない。
【００７１】
なお、本実施形態において、には信号Ｓ１／Ｓ３履歴４０が記憶されるが、第１の実施形態と同様に、信号Ｓ１／Ｓ３履歴４０はメモリに記憶されなくともよい。この場合、ステップＳ１０９の処理は行われない。処理部３５は、ステップＳ２０１においてＹｅｓ、つまり液晶ディスプレイ１３が開いていると判断し、さらにステップＳ１０５においてＹｅｓ、つまりリリーススイッチ３１が押下されたと判断した場合、ドライブの蓋１５を開放すると判断する。一方、ステップＳ２０１においてＮｏ、つまり液晶ディスプレイ１３が開いていないと判断された場合、ステップＳ１０９は行われず、処理はステップＳ１０１に戻る。
【００７２】
（第３の実施形態）
次に、本発明の第３の実施形態について説明する。第２の実施形態では、光学センサである角度検知器ＳＷ２によって、液晶ディスプレイ１３の開閉状態が検知された。しかしながら、光学センサによって、液晶ディスプレイ１３が開いている場合の液晶ディスプレイ１３の開放角度を検出することはできない。すなわち、実際にドライブの蓋１５を開放しても液晶画面に当たらないような十分な開放角度まで液晶ディスプレイ１３が開かれているか否かを検知することができない。また、暗い場所でノートパソコンを使用する場合、液晶ディスプレイ１３が開けられても光学センサが検知できない可能性がある。そこで、第３の実施形態においては、液晶ディスプレイ１３が所定の角度以上に開いた場合にのみ、ドライブの蓋１５が開放される。
【００７３】
図１２を参照して、本発明の第３の実施形態に係るスイッチ機構１７の構造について説明する。第３の実施形態において、スイッチ機構１７は液晶ディスプレイ１３が所定の角度以上に開かれたことを確認する角度検知器ＳＷ２を含む。角度検知器ＳＷ２は、メカニカルな押しボタン式スイッチであって、ノートパソコン１１の下部ケース１８に設けられる。角度検知器ＳＷ２は、当接部４１と信号生成部４３とを含む。
【００７４】
図１２において、上段には液晶ディスプレイ１３が閉じられている状態のノートパソコン１１ｃが示され、下段には液晶ディスプレイ１３が閉じられている状態のノートパソコン１１ｄが示されている。角度検知器ＳＷ２は、液晶ディスプレイ１３の状態を検知する。液晶ディスプレイ１３が閉じられている場合（１１ｃ）、当接部は信号生成部４３の中に押し下げられている状態である。このとき、角度検知器ＳＷ２はＯＮの状態である。ノートパソコンの蓋が開かれると（１１ｄ）、当接部がリリースされ、スイッチＳＷ２は、ＯＦＦの状態となる。また、角度検知器ＳＷ２は、ＯＮとＯＦＦとに対応するＨｉｇｈ（Ｈ）レベルおよびＬｏｗ（Ｌ）レベルの２値の信号を出力する（図１３）。
【００７５】
本実施形態におけるスイッチ機構１７を実現するためのブロック図は、図８に示す第２の実施形態におけるブロック図と同様である。そこで、本実施形態においては、図８を援用して、詳細な説明を省略する。
【００７６】
図１３に示す、メモリに記憶された信号履歴を参照して、リリースボタン３１の操作（ＯＮ／ＯＦＦ）パターンと、液晶ディスプレイ１３およびドライブの蓋１５の開閉の関係について説明する。信号履歴には、Ｓ１／Ｓ３履歴４０と、液晶ディスプレイ１３の開閉状態と、処理部３５から出力される信号Ｓ４の値とが含まれている。メモリには、Ｓ１／Ｓ３履歴４０のみが記憶されるが、この他に処理部３５から出力される信号Ｓ４が記憶されてもよい。
【００７７】
図１３に示すＳ１／Ｓ３信号履歴におけるＳ３信号の出力値は、第２の実施形態における信号Ｓ３の出力値とはＨｉｇｈレベルとＬｏｗレベルとが示す液晶ディスプレイ１３の開閉状態が異なる。第２の実施形態において、液晶ディスプレイ１３が閉じられている場合に角度検知器ＳＷ２はＯＦＦ、つまりＬｏｗレベルの信号Ｓ３を出力し、液晶ディスプレイ１３が開かれると角度検知器ＳＷ２はＯＮ、つまりＨｉｇｈレベルの信号Ｓ３を出力する。しかしながら、第３の実施形態において、液晶ディスプレイ１３が閉じられている場合に角度検知器ＳＷ２はＯＮ、つまりＨｉｇｈレベルの信号Ｓ３を出力し、液晶ディスプレイ１３が開かれると角度検知器ＳＷ２はＯＦＦ、つまりＬｏｗレベルの信号Ｓ３を出力する。
従って、処理部３５は、角度検知器ＳＷ２から受け取った信号Ｓ３がＬｏｗレベルである場合に、Ｈｉｇｈレベルの信号Ｓ１を開放検知器ＳＷ１から受け取ると、ドライブの蓋１５を開放すると判断する。
【００７８】
また、本実施形態における処理部３５の動作は、第２の実施形態における処理部３５の動作を示すフローチャート（図１１）と同様である。こで、本実施形態における処理部３５の動作は、図１１を援用して、詳細な説明を省略する。なお、前述したように、本実施形態においては、処理部３５は、Ｈｉｇｈレベルの信号Ｓ３を受け取った場合、液晶ディスプレイ１３が閉じていると判断し、Ｌｏｗレベルの信号Ｓ３を受け取った場合、液晶ディスプレイ１３が開いていると判断する。
【００７９】
以上のように、本実施形態によれば、液晶ディスプレイ１３が所定の角度以上に開いた場合にのみドライブの蓋１５を開放することができる。
【００８０】
次に、本実施形態の変形例について説明する。変形例において、角度検知器ＳＷ２は、図１４に示すノートパソコン１１のヒンジ４１に設けられる。
【００８１】
図１５に示すヒンジ４１の拡大図を参照して、角度検知器ＳＷ２について詳細に説明する。角度検知器ＳＷ２は、ヒンジ４１に設けられた回転部材５１と、信号生成部５３とを含む。
【００８２】
図１５において、上段には液晶ディスプレイ１３が閉じられている状態のノートパソコン１１ｅが示され、下段には液晶ディスプレイ１３が閉じられている状態のノートパソコン１１ｆが示されている。液晶ディスプレイ１３が閉じられている場合（１１ｅ）、ヒンジ４１に設けられた回転部材５１は、信号生成部５３とは離れた位置にあり、互いに接触していない状態である。液晶ディスプレイ１３が開かれると、ヒンジ４１の動作に伴い、回転部材５１は信号生成部５３に接近する。液晶ディスプレイ１３が所定の角度まで開かれた場合（１１ｆ）、回転部材５１が信号生成部５３に接触することによって、角度検知器ＳＷ２は液晶ディスプレイ１３が開かれたことを検知し、Ｈｉｇｈレベルの信号Ｓ３を出力する。なお、液晶ディスプレイ１３が所定の角度以上に開かれた場合、回転部材５１はヒンジに沿ってスライドする。
【００８３】
本変形例において、角度検知器ＳＷ２は、液晶ディスプレイ１３が閉じられている場合はＯＦＦの状態であり、Ｌｏｗレベルの信号Ｓ３を出力する。また、液晶ディスプレイ１３が開かれたことを検知するとＯＮの状態となり、Ｈｉｇｈレベルの信号Ｓ３を出力する。本変形例において、処理部３５のメモリに記憶されるＳ１／Ｓ３信号履歴４０は、第２の実施形態におけるＳ１／Ｓ３信号履歴４０と同様であるため、図９を援用して、説明を省略する。また、処理部３５の動作もまた、図１１に示す、第２の実施形態のフローチャートと同様であるため、説明を省略する。
【００８４】
図１６に示すヒンジ４１の拡大図を参照して、本実施形態のさらなる変形例について説明する。角度検知器ＳＷ２は、ヒンジ４１に設けられた回転部材５５と、当接部５７と、信号生成部５９とを含む。
【００８５】
図１６において、上段には液晶ディスプレイ１３が閉じられている状態のノートパソコン１１ｇが示され、下段には液晶ディスプレイ１３が閉じられている状態のノートパソコン１１ｈが示されている。液晶ディスプレイ１３が閉じられている場合（１１ｇ）、ヒンジ４１に設けられた回転部材５５は、信号生成部４３とは離れた位置にあり、互いに接触していない状態である。液晶ディスプレイ１３が開かれると（１１ｈ）、ヒンジ４１の動作に伴い、回転部材５５は当接部５９に接近する。液晶ディスプレイ１３が所定の角度まで開かれた場合、回転部材９１は当接部５９を信号生成部５３に押し込むことによって、角度検知器ＳＷ２は、ＯＮの状態であることを検知し、Ｈｉｇｈの信号Ｓ３を出力する。なお、液晶ディスプレイ１３が所定の角度以上に開かれた場合、回転部材５５はヒンジに沿ってスライドする。
【００８６】
以上のように、本実施形態によれば、液晶ディスプレイ１３が所定の角度以上に開いた場合にのみドライブの蓋１５を開放することができる。
【図面の簡単な説明】
【図１】本発明の第１の実施形態に係るノートパソコンの斜視図である。
【図２】図１に示したノートパソコンにおけるリリースボタン３１の拡大図である。
【図３】本発明の第１の実施形態に係るスイッチ機構１７ａの構成を示すブロック図である。
【図４】本実施形態におけるＳ１］信号履歴３９の一例を模式的に示す図である。
【図５】開放検知器から出力されるリリース指示信号Ｓ１の一例を示すタイムチャートである。
【図６】処理部３５の動作を示すフローチャートである。
【図７】第２の実施形態に係る角度検知器ＳＷ２を示す図である。
【図８】本発明の第２および第３の実施形態に係るスイッチ機構１７ｂの構成を示すブロック図である。
【図９】第１の実施形態におけるＳ１信号履歴の一例を模式的に示す図である。
【図１０】開放検知器ＳＷ１から出力されるリリース指示信号Ｓ１および角度検知器ＳＷ２から出力される信号Ｓ３の一例を示すタイムチャートである。
【図１１】処理部３５の動作を示すフローチャートである。
【図１２】第３の実施形態に係る角度検知器ＳＷ２を示す図である。
【図１３】第３の実施形態におけるＳ１／Ｓ３信号履歴４０の一例を模式的に示す図である。
【図１４】第３の実施形態の変形例におけるノートパソコンの斜視図である。
【図１５】図１４に示した角度検知器ＳＷ２の拡大図である。
【図１６】図１４に示した角度検知器ＳＷ２の拡大図である。
【符号の説明】
ＳＷ１                  開放検知器
ＳＷ２                  角度検知器
Ｓ                      信号
１１                    ノートパソコン
１３                    液晶ディスプレイ
１５                    ドライブの蓋
１７                    スイッチ機構
１８                    下部ケース
１９                    光ディスクドライブ
２１                    スライドバー
２３、４１、５９        当接部
２５、４３、５３、５７  信号生成部
３５                    処理部
３７                    ドライブ開放部
３９                    Ｓ１履歴
４０                    Ｓ１／Ｓ３履歴
４１                    ヒンジ
５１、５５              回転部材
【図１】
2005018469.tif 000003
【図２】
2005018469.tif 000004
【図３】
2005018469.tif 000005
【図４】
2005018469.tif 000006
【図５】
2005018469.tif 000007
【図６】
2005018469.tif 000008
【図７】
2005018469.tif 000009
【図８】
2005018469.tif 000010
【図９】
2005018469.tif 000011
【図１０】
2005018469.tif 000012
【図１１】
2005018469.tif 000013
【図１２】
2005018469.tif 000014
【図１３】
2005018469.tif 000015
【図１４】
2005018469.tif 000016
【図１５】
2005018469.tif 000017
【図１６】
2005018469.tif 000018